(57)【要約】【課題】本発明は、月極駐車場の使用料を負担している使用者や駐車場の所有者相互の利便を向上させるとともに利用者に多大な費用が発生することのない相互利用システムを提供する。【解決手段】会員同士が互いに所有する駐車場の空き時間を、電気通信回線を介して公開し、該駐車場を相互に利用しあうことにより有効利用を図り、駐車場を提供した会員には駐車場提供時間に応じた所定のプラスポイントを与え、駐車場を利用した会員には駐車場提供時間に応じた所定のマイナスポイントを与え、所定期間経過後に当該プラスポイントと当該マイナスポイントを別個に集計して、管理者は集計後のプラスのポイント数に応じた商品を提供し、集計後のマイナスポイント数に応じたシステム使用料を徴収するシステムとした。【選択図】図１
2008165354.tif 000002
【特許請求の範囲】
【請求項１】
駐車場を所有し所定の識別符号が付与された第１の会員の提供可能な駐車場の場所、駐車可能車種および駐車可能台数からなる提供可能空間情報と該駐車場を使用しない空き時間情報が入力される第１の入力部と、該提供可能空間情報および該空き時間情報が表示される第１の表示部とを備える第１の端末機と、
駐車場を所有しかつ該駐車場とは別の駐車場の使用を希望する所定の識別符号が付与された第２の会員の該別の駐車場の使用希望の駐車場の場所、駐車希望車種および駐車希望台数からなる使用希望空間情報と使用希望時間情報が入力される第２の入力部と、前記提供可能空間情報および前記空き時間情報が表示される第２の表示部とを備える第２の端末機と、
前記第１の端末機から送信される前記提供可能空間情報および前記空き時間情報と前記第２の端末機から送信される前記使用希望空間情報および前記使用希望時間情報とを格納する格納部を備えるホストコンピューターと、からなり、
前記第１の端末機、前記第２の端末機および前記ホストコンピューターは電気通信回線により相互に接続され、
前記ホストコンピューターは前記提供可能空間情報に前記使用希望空間情報が一致しかつ前記空き時間情報に前記使用希望時間情報が包含されるときには前記第１の表示部および前記第２の表示部に該使用希望空間情報および該使用希望時間情報を受入れた旨を表示させ、その後他の第２の端末機から送信される別の使用希望空間情報および使用希望時間情報が前記使用希望空間情報に一致しかつ前記使用希望時間情報に重合するときには前記第２の表示部に受入れを拒否する旨を表示させる演算手段および送信手段を有する、ことを特徴とする駐車場の相互利用システム。
【請求項２】
前記提供可能空間情報および前記空き時間情報の入力は前記第１の会員が入力した識別符号が所定の識別符号に一致したときのみ受け付けられ、前記使用希望空間情報および前記使用希望時間情報の入力は前記第２の会員が入力した識別符号が所定の識別符号に一致したときのみ受け付けられる、ことを特徴とする請求項１に記載の駐車場の相互利用システム。
【請求項３】
前記第１の端末機の操作および前記第２の端末機の操作は同一の端末機により行うことが可能である、ことを特徴とする請求項１または請求項２に記載の駐車場の相互利用システム。
【請求項４】
前記ホストコンピューターは前記受入れた旨の情報を前記第１の端末機およびに前記第２の端末機に送信したときには前記使用希望時間情報に基づいた所定のプラスポイントを前記第１の表示部に表示させるとともに前記第１の会員に与え、前記使用希望時間情報に基づいた所定のマイナスポイントを前記第２の表示部に表示させるとともに前記第２の会員に与え、所定の期間経過後に識別符号毎に該所定のプラスポイントと該所定のマイナスポイントとをそれぞれ別個に集計して前記第１の端末機および前記第２の端末機に送信し、前記第１の表示部には集計後のプラスポイントおよび該集計後のプラスポイントに応じた提供商品名を表示させるとともに、前記第２の表示部には集計後のマイナスポイントおよび該集計後のマイナスポイントに所定の金額を乗じたシステム使用料を表示させる、ことを特徴とする請求項１ないし請求項３のいずれかに記載の駐車場の相互利用システム。
【請求項５】
前記空き時間情報および前記使用希望時間情報は時間単位、日単位、週単位および／または月単位の駐車時間からなる、ことを特徴とする請求項１ないし請求項４のいずれかに記載の駐車場の相互利用システム。
【請求項６】
駐車場を所有し所定の識別符号が付与された第１の会員から電気通信回線を介して送信される提供可能な駐車場の場所、駐車可能車種および駐車可能台数からなる提供可能空間情報と該駐車場を使用しない空き時間情報と、駐車場を所有しかつ該駐車場とは別の駐車場の使用を希望する所定の識別符号が付与された第２の会員から電気通信回線を介して送信される該別の駐車場の使用希望場所、駐車希望車種および駐車希望台数からなる使用希望空間情報と使用希望時間情報とを格納する格納部を備え、
前記提供可能空間情報に前記使用希望空間情報が一致しかつ前記空き時間情報に前記使用希望時間情報が包含されるときには該使用希望空間情報および該使用希望時間情報を受入れた旨を電気通信回線を介して前記第１の会員および前記第２の会員に送信し、その後他の第２の会員から送信される別の駐車場の使用希望空間情報と使用希望時間情報が前記使用希望空間情報に一致しかつ前記使用希望時間情報に重合するときには受入れを拒否する旨を電気通信回線を介して前記第２の会員に送信する演算手段および送信手段を有する、ことを特徴とするホストコンピューター。
【請求項７】
前記受入れた旨の情報を前記第１の会員および前記第２の会員に送信したときには前記使用希望時間情報に基づいた所定のプラスポイントを前記第１の会員に電気通信回線を介して送信し、前記使用希望時間情報に基づいた所定のマイナスポイントを前記第２の会員に電気通信回線を介して送信し、所定の期間経過後に識別符号毎に該所定のプラスポイントと該所定のマイナスポイントとをそれぞれ別個に集計して前記第１の会員には集計後のプラスポイントおよび該集計後のプラスポイントに応じた提供商品名を送信するとともに、前記第２の会員には集計後のマイナスポイントおよび該集計後のマイナスポイントに所定の金額を乗じたシステム使用料を送信する、ことを特徴とする請求項６に記載のホストコンピューター。
【発明の詳細な説明】
【技術分野】
【０００１】
本発明は、駐車場を所有する複数の会員相互間の該駐車場の有効利用を図るシステムに関する。
【背景技術】
【０００２】
現在は、一家に複数台の車を所有するといわれるモータリゼーションの時代であるが、その反面、慢性的な交通渋滞という弊害が生じ、その弊害を解消すべく、道路交通法が改正されて違法駐車の取り締まりが強化されている。
一方で、車購入時には駐車場の確保が条件のため、個々の車に対する駐車場は確保されているが、それぞれ車を移動した場合には、その移動先での駐車スペースの確保に苦慮しているのが現状である。また、最近はコイン駐車場等の普及で多少は便利になってきているが、全体的に駐車場は不足し、料金も高く、数時間の駐車となると多大な費用が発生し、不便を感じているのが現状である。その反面、月極駐車場は、２４時間の使用料を負担しているにも関わらず、使用者によっては、日中は空けることが多い。
【０００３】
このような駐車場不足に対処すべく、特開２００６−２９３９５６号公報に開示のシステムが提案されている。このシステムは、「既存の駐車場市場に存在しなかった新たな駐車場市場を創造することで、新たな賃貸およびタイムシェアパーキング事業を構築できるとともに、インターネットおよび携帯情報端末を使用した予約システムおよび電子認証システムを提供すること」を課題としていて、「不動産会社が所有する駐車場を、インターネット上または携帯情報端末通信網を介して、一般ユーザに空車情報を公開する。ユーザは時間単位、１日単位、週単位、月単位で空車情報を、随意に情報入手し、かつ駐車場の予約を行う。また、一般ユーザは、駐車場を利用するための電子認証キーを受け取れ、ユーザは利用駐車場において電子認証を受け、かつ利用料金を電子決済できる。また、すでに月極で契約している駐車場利用者が、空車状態となっている日中の時間帯に限って、一般ユーザに空車情報を公開することによって、時間単位で転貸することを可能とするシステム」を課題解決としている。
【特許文献１】特開２００６−２９３９５６号公報
【発明の開示】
【発明が解決しようとする課題】
【０００４】
しかしながら、特開２００６−２９３９５６号公報に開示のシステムは、不動産会社が所有する駐車場の有効利用を図るものであり、数時間の駐車となると利用者に多大な費用が発生することに変わりがない。
【０００５】
そこで、本発明は、月極駐車場の使用料を負担している使用者や駐車場の所有者相互の利便を向上させるとともに利用者に多大な費用が発生することのない相互利用システムを提供する。
【課題を解決するための手段】
【０００６】
上記目的を達成するため、本願請求項１に係る駐車場の相互利用システムは、駐車場を所有し所定の識別符号が付与された第１の会員の提供可能な駐車場の場所、駐車可能車種および駐車可能台数からなる提供可能空間情報と該駐車場を使用しない空き時間情報が入力される第１の入力部と、該提供可能空間情報および該空き時間情報が表示される第１の表示部とを備える第１の端末機と、駐車場を所有しかつ該駐車場とは別の駐車場の使用を希望する所定の識別符号が付与された第２の会員の該別の駐車場の使用希望の駐車場の場所、駐車希望車種および駐車希望台数からなる使用希望空間情報と使用希望時間情報が入力される第２の入力部と、前記提供可能空間情報および前記空き時間情報が表示される第２の表示部とを備える第２の端末機と、前記第１の端末機から送信される前記提供可能空間情報および前記空き時間情報と前記第２の端末機から送信される前記使用希望空間情報および前記使用希望時間情報とを格納する格納部を備えるホストコンピューターと、からなり、前記第１の端末機、前記第２の端末機および前記ホストコンピューターは電気通信回線により相互に接続され、前記ホストコンピューターは前記提供可能空間情報に前記使用希望空間情報が一致しかつ前記空き時間情報に前記使用希望時間情報が包含されるときには前記第１の表示部および前記第２の表示部に該使用希望空間情報および該使用希望時間情報を受入れた旨を表示させ、その後他の第２の端末機から送信される別の使用希望空間情報および使用希望時間情報が前記使用希望空間情報に一致しかつ前記使用希望時間情報に重合するときには前記第２の表示部に受入れを拒否する旨を表示させる演算手段および送信手段を有する、ことを特徴としている。
なお、「駐車場を所有する者」とは、当該駐車場の所有権者のみならず、当該駐車場の月極使用者をいい、「使用希望時間情報が前記使用希望時間情報に重合する」とは、他の第２の端末機から送信された「使用希望時間情報」がそれ以前に第２の端末機から送信された「使用希望時間情報」に一致する場合や互いに時間的に重なり合う部分がある場合をいう。
【０００７】
また、本願請求項２に係る駐車場の相互利用システムは、請求項１に記載の駐車場の相互利用システムであって、前記提供可能空間情報および前記空き時間情報の入力は前記第１の会員が入力した識別符号が所定の識別符号に一致したときのみ受け付けられ、前記使用希望空間情報および前記使用希望時間情報の入力は前記第２の会員が入力した識別符号が所定の識別符号に一致したときのみ受け付けられる、ことを特徴としている。
【０００８】
そして、本願請求項３に係る駐車場の相互利用システムは、請求項１または請求項２に記載の駐車場の相互利用システムであって、前記第１の端末機の操作および前記第２の端末機の操作は同一の端末機により行うことが可能である、ことを特徴としている。
【０００９】
さらに、本願請求項４に係る駐車場の相互利用システムは、請求項１ないし請求項３のいずれかに記載の駐車場の相互利用システムであって、前記ホストコンピューターは前記受入れた旨の情報を前記第１の端末機およびに前記第２の端末機に送信したときには前記使用希望時間情報に基づいた所定のプラスポイントを前記第１の表示部に表示させるとともに前記第１の会員に与え、前記使用希望時間情報に基づいた所定のマイナスポイントを前記第２の表示部に表示させるとともに前記第２の会員に与え、所定の期間経過後に識別符号毎に該所定のプラスポイントと該所定のマイナスポイントとをそれぞれ別個に集計して前記第１の端末機および前記第２の端末機に送信し、前記第１の表示部には集計後のプラスポイントおよび該集計後のプラスポイントに応じた提供商品名を表示させるとともに、前記第２の表示部には集計後のマイナスポイントおよび該集計後のマイナスポイントに所定の金額を乗じたシステム使用料を表示させる、ことを特徴としている。
【００１０】
また、本願請求項５に係る駐車場の相互利用システムは、請求項１ないし請求項４のいずれかに記載の駐車場の相互利用システムであって、前記空き時間情報および前記使用希望時間情報は時間単位、日単位、週単位および／または月単位の駐車時間からなる、ことを特徴としている。
【００１１】
そして、本願請求項６に係るホストコンピューターは、駐車場を所有し所定の識別符号が付与された第１の会員から電気通信回線を介して送信される提供可能な駐車場の場所、駐車可能車種および駐車可能台数からなる提供可能空間情報と該駐車場を使用しない空き時間情報と、駐車場を所有しかつ該駐車場とは別の駐車場の使用を希望する所定の識別符号が付与された第２の会員から電気通信回線を介して送信される該別の駐車場の使用希望場所、駐車希望車種および駐車希望台数からなる使用希望空間情報と使用希望時間情報とを格納する格納部を備え、前記提供可能空間情報に前記使用希望空間情報が一致しかつ前記空き時間情報に前記使用希望時間情報が包含されるときには該使用希望空間情報および該使用希望時間情報を受入れた旨を電気通信回線を介して前記第１の会員および前記第２の会員に送信し、その後他の第２の会員から送信される別の駐車場の使用希望空間情報と使用希望時間情報が前記使用希望空間情報に一致しかつ前記使用希望時間情報に重合するときには受入れを拒否する旨を電気通信回線を介して前記第２の会員に送信する演算手段および送信手段を有する、ことを特徴としている。
【００１２】
さらに、本願請求項７に係るホストコンピューターは、請求項６に記載のホストコンピューターであって、前記受入れた旨の情報を前記第１の会員および前記第２の会員に送信したときには前記使用希望時間情報に基づいた所定のプラスポイントを前記第１の会員に電気通信回線を介して送信し、前記使用希望時間情報に基づいた所定のマイナスポイントを前記第２の会員に電気通信回線を介して送信し、所定の期間経過後に識別符号毎に該所定のプラスポイントと該所定のマイナスポイントとをそれぞれ別個に集計して前記第１の会員には集計後のプラスポイントおよび該集計後のプラスポイントに応じた提供商品名を送信するとともに、前記第２の会員には集計後のマイナスポイントおよび該集計後のマイナスポイントに所定の金額を乗じたシステム使用料を送信する、ことを特徴としている。
【発明の効果】
【００１３】
上記の構成とすることにより、以下の効果を奏する。
（１）本発明は駐車場を所有する会員相互間で当該駐車場の相互利用を図り、会員の駐車場の空き時間、空きスペースを有効に利用することにより、駐車場の利用に関して会員相互の利便を向上させることができる。
（２）また、当該駐車場の相互利用に際してポイント制を採用し、集計したプラスポイント（提供した駐車場の使用時間に対応）に対してはポイント数に応じた商品を提供し、集計したマイナスポイント（利用した駐車場の使用時間に対応）に対してはポイント数に所定の金額を乗じたシステム使用料を徴収することとしているため、駐車場を提供する会員は同時に他の会員の駐車場を使用する会員でもあることから、会員間の不公平感がなく、所定の金額を低廉に抑えれば、従来のコイン駐車場等よりも駐車料金を低く抑えることができる。
【発明を実施するための最良の形態】
【００１４】
以下、本願発明を実施するための最良の形態に係る実施例について、図１および図２に基づいて説明する。なお、図１は、実施例に係る駐車場の相互利用システムの機器構成図、図２は、実施例に係る駐車場の相互利用システムのフローチャート、である。
【００１５】
図１において、符号１は実施例に係る駐車場の相互利用システム、符号１０は第１の端末機、符号１１は第１の入力部、符号１３は第１の表示部、符号２０は第２の端末機、符号２１は第２の入力部、符号２３は第２の表示部、符号３０はホストコンピューター、符号４０は電気通信回線、である。なお、図中の括弧で囲まれた数字は情報の流れを示している。
【００１６】
駐車場の相互利用システム１は、第１の端末機１０、第２の端末機２０、ホストコンピューター３０およびこれらを相互に接続する電気通信回線４０とから構成されている。さらに、第１の端末機１０および第２の端末機２０はそれぞれ第１の入力部１１と第１の表示部１３および第２の入力部２１と第２の表示部２３とから構成されていて、第１の端末機１０および第２の端末機２０はパーソナル・コンピューターでも携帯情報端末機でも良い。
【００１７】
そして、第１の端末機１０、第２の端末機２０およびホストコンピューター３０は電気通信回線４０を介して相互に電気的に接続され、それぞれに送受信手段を備えている。
【００１８】
駐車場の相互利用システム１の利用は以下の手順を踏んで行われる。
【００１９】
（１）駐車場の相互利用システム１を利用するに際しては、会員登録が必要である。
会員登録は電気通信回線に接続された端末機によっても行うことができるが、ホストコンピューター３０を管理する管理者に直接手続することによっても登録することができる。会員登録には、駐車場を所有することが必須の条件であり、会員登録に際しては、提供可能な駐車場の場所、駐車可能車種および駐車可能台数の情報を管理者に送付する。そして、これらの情報を受け取った管理者は会員登録を希望する者に対して識別符号を付与し、登録手続が完了する（ステップＳ１）。なお、識別符号は、英数字からなり、会員ＩＤとパスワードの組合せとすることができる。
【００２０】
（２）自己の所有する駐車場を提供しようとする第１の会員は、第１の端末機１０の第１の入力部１１から識別符号を入力する。入力された識別符号が予め登録された所定の識別符号に一致するときには、入力部１１に入力される第１の会員の駐車場の場所、駐車可能車種および駐車可能台数からなる提供可能空間情報と該駐車場を使用しない空き時間情報が電気通信回線４０を介してホストコンピューター３０に送信され（矢印［１］、［５］）、送信された情報はホストコンピューター３０の格納部に格納される（ステップＳ２）。
なお、ステップＳ２では、登録された所定の識別符号により、第１の表示部には、当該第１の会員の所有する駐車場の場所、駐車可能車種および駐車可能台数が表示される。そして、当該第１の会員は、表示されたそれぞれの駐車場に対して空き時間情報を入力することになる。また、当該空き時間情報は時間単位、日単位、週単位および月単位のいずれの駐車時間であっても良く、あるいはいずれか１つ以上を選択することができる。
【００２１】
（３）複数の第１の端末機１０から送信された提供可能空間情報および空き時間情報は、ホストコンピューター３０で各項目（駐車場の場所、駐車可能車種、駐車可能台数および当該駐車場の空き時間）毎に集計されて、第１の端末機１０および第２の端末機２０に電気通信回線４０を介して送信され（矢印［６］、［２］、［４］）、第１の表示部１３および第２の表示部２３に表示される（ステップＳ３）。
【００２２】
（４）自己の所有する駐車場以外の駐車場の使用を希望する第２の会員は、第２の端末機２０の第２の入力部２１から識別符号を入力する。入力された識別符号が予め登録された所定の識別符号に一致するときには、第２の表示部２３にホストコンピューター３０から送信された（矢印［４］）各項目（駐車場の場所、駐車可能車種、駐車可能台数および当該駐車場の空き時間）毎に集計された情報が表示される。
そして、第２の会員は、第２の表示部２３に表示された情報から駐車場の提供可能空間情報および当該駐車場の空き時間情報を選択し、当該駐車場の使用希望時間を入力する。この情報は第２の端末機２０からホストコンピューター３０に送信され（矢印［３］、［５］）、ホストコンピューター３０の格納部に格納される（ステップＳ４）。
【００２３】
（５）ホストコンピューター３０は第１の端末機１０から送信された提供可能空間情報および空き時間情報と第２の端末機２０から送信された使用希望空間情報および使用希望時間情報とをマッチングさせる。すなわち、提供可能空間情報に使用希望空間情報が一致しかつ空き時間情報に使用希望時間情報が包含されるときには、第１の端末機１０および第２の端末機２０に受入れた旨の情報を送信する（矢印［６］、［２］、［４］）。この送信された受入れた旨の情報は、第１の表示部１３および第２の表示部２３に表示される（ステップＳ５、Ｓ６、Ｓ７）。
また、提供可能空間情報に使用希望空間情報が一致しかつ空き時間情報に使用希望時間情報が包含されるときであっても、既に、第１の端末機１０および第２の端末機２０に受入れた旨の情報を送信した後である場合には、他の第２の端末機２０から送信された使用希望空間情報および使用希望時間情報に対し第１の端末機１０および第２の端末機２０に受入れを拒否する旨の情報を送信し（矢印［６］、［４］）、第２の表示部２３に表示させる（ステップＳ５、Ｓ７）。なお、受入れを拒否する旨の情報を第１の表示部１３に表示させても良い。
【００２４】
（６）受入れた旨の情報を第１の端末機１０および第２の端末機２０に送信したときには、ホストコンピューター３０は、駐車場の使用希望時間情報に基づいた所定のプラスポイント（たとえば１時間に付、１プラスポイント）を第１の表示部１３に表示させるとともに駐車場を提供する第１の会員に与え、第２の表示部２３には駐車場使用時間情報に基づいた所定のマイナスポイント（たとえば１時間に付、１マイナスポイント）を表示させるとともに駐車場を使用する第２の会員に与える（矢印［６］、［２］、［４］およびステップＳ８、Ｓ９、Ｓ１０）。なお、このステップＳ８、Ｓ９、Ｓ１０はステップＳ５、Ｓ６、Ｓ７と略同時に行われる。
【００２５】
（７）そして、たとえば１ヶ月、６ヶ月、１２ヶ月などのような所定期間経過後にホストコンピューター３０は、識別符号毎の、すなわち会員毎のプラスポイントとマイナスポイントとを別個に集計し、当該識別符号を所有する会員に対して集計後のプラスポイントおよびマイナスポイントを記載した情報を送信するとともに、集計後のプラスポイントに対しては、ポイント数に応じた商品名（たとえば１ポイントに付、２０円相当の提供可能な商品の名称）を第１の表示部１３に表示し、集計後のマイナスポイントに対しては、システム使用料としてポイント数に所定の単価（たとえば１ポイントに付、５０円）を乗じた金額を第２の表示部２３に表示する（矢印［６］、［２］、［４］およびステップＳ１１、Ｓ１２、Ｓ１３）。
この商品の提示は、複数の商品から選択できるようにすることもできるが、この場合、提供可能な商品のカタログは、ホストコンピューター３０に請求することにより、第１の表示部１３に表示させるようにする。また、システム使用料の請求明細書をホストコンピューター３０から自動的に第２の端末機２０に送信することもできる。
【００２６】
この駐車場の相互利用システムでは、（マイナスポイント数に乗ずる単価）＞（プラスポイントによる提供可能な商品の金額／プラスポイント数）、とすることにより、当該相互利用システムの管理費が拠出できる。また、第１の端末機１０と第２の端末機２０とは同一の端末機であっても良く、第１の会員と第２の会員とは同一人が兼ねても良いことは勿論である。
【図面の簡単な説明】
【００２７】
【図１】図１は、実施例に係る駐車場の相互利用システムの機器構成図である。
【図２】図２は、実施例に係る駐車場の相互利用システムのフローチャートである。
【符号の説明】
【００２８】
１  実施例に係る駐車場の相互利用システム
１０  第１の端末機
１１  第１の入力部
１３  第１の表示部
２０  第２の端末機
２１  第２の入力部
２３  第２の表示部
３０  ホストコンピューター
４０  電気通信回線
【図１】
2008165354.tif 000003
【図２】
2008165354.tif 000004